(57)【要約】【課題】販売前の仏壇、位牌のみならず、既に販売され、使用されている仏壇、位牌についても、位牌が地震発生時の振動等の衝撃により転倒することを防止することを可能ならしめる。【解決手段】永久磁石１を備えた板状体３と該永久磁石により磁気吸着される被吸着シート５とよりなり、該板状体を位牌７の基台部９下面９ａに固着し、該被吸着シートを仏壇内における該位牌を配設する面１１上に固着することを特徴とする位牌用転倒防止装置。【選択図】図１
0003154669.tif 000002
【実用新案登録請求の範囲】
【請求項１】
永久磁石を備えた板状体と該永久磁石により磁気吸着される被吸着シートとよりなり、該板状体を位牌の基台部下面に固着し、該被吸着シートを仏壇内における該位牌を配設する面上に固着することを特徴とする位牌用転倒防止装置。
【請求項２】
シート状永久磁石と該シート状永久磁石により磁気吸着される被吸着体を備えた板状体とよりなり、該板状体を位牌の基台部下面に固着し、該シート状永久磁石を仏壇内における該位牌を配設する面上に固着することを特徴とする位牌用転倒防止装置。
【考案の詳細な説明】
【技術分野】
【０００１】
本考案は、位牌用転倒防止装置に関するものであり、更に詳しくは、仏壇内に配設されている位牌が地震発生時の振動等の衝撃により転倒することを防止するようにした位牌用転倒防止装置に係るものである。
【背景技術】
【０００２】
位牌は、死者の霊を祀るためにその戒名を正面に書してなる木牌であって、仏壇内に安置して供養の対象となすものである。したがって、位牌が地震発生時の振動等の衝撃により転倒することは、避けなければならない。
【０００３】
特開２００４−２９０６３８号公報は、仏壇内に配設されている仏像（本尊）、位牌等の仏具が地震発生時の振動等の衝撃により転倒することがないようにした仏壇を提供している。
【０００４】
この従来の仏壇は、仏壇内の仏具載置棚に磁石を埋設し、仏具には該磁石により磁気吸着される金属を使用することにより、載置棚上の仏具が地震等の衝撃により転倒することを防止するようにしたものである。
【先行技術文献】
【特許文献】
【０００５】
【特許文献１】特開２００４−２９０６３８号公報
【考案の概要】
【考案が解決しようとする課題】
【０００６】
しかるに、上記従来の仏壇においては、予め仏壇内の仏具載置棚に磁石を埋設し、仏具には該磁石により磁気吸着される金属を使用するようにしているため、位牌の転倒を防止するための手段は仏壇の製造時、位牌の製造時に組み込まなければならず、既に販売され、使用されている仏壇、位牌については位牌の転倒を防止するための手段を講ずることができないという問題がある。
【０００７】
このような状況に鑑み、本考案は、販売前の仏壇、位牌のみならず、既に販売され、使用されている仏壇、位牌についても、位牌が地震発生時の振動等の衝撃により転倒することを防止することを可能ならしめようとしてなされたものである。
【課題を解決するための手段】
【０００８】
上記課題を解決するために、本考案は、下記の位牌用転倒防止装置を提供するものである。
【０００９】
（１）永久磁石を備えた板状体と該永久磁石により磁気吸着される被吸着シートとよりなり、該板状体を位牌の基台部下面に固着し、該被吸着シートを仏壇内における該位牌を配設する面上に固着することを特徴とする位牌用転倒防止装置（請求項１）。
【００１０】
（２）シート状永久磁石と該シート状永久磁石により磁気吸着される被吸着体を備えた板状体とよりなり、該板状体を位牌の基台部下面に固着し、該シート状永久磁石を仏壇内における該位牌を配設する面上に固着することを特徴とする位牌用転倒防止装置（請求項２）。
【考案の効果】
【００１１】
［請求項１の考案］
請求項１の考案によれば、永久磁石を備えた板状体を位牌の基台部下面に固着し、該永久磁石により磁気吸着される被吸着シートを仏壇内における該位牌を配設する面上に固着することにより、地震発生時の振動等の衝撃を受けたときでも位牌の転倒を防止することができる。
【００１２】
したがって、請求項１の考案によれば、既に販売され、使用されている仏壇、位牌についても、位牌が地震発生時の振動等の衝撃により転倒することを防止することができる。換言すれば、既に仏壇と位牌とを使用している者に対し、板状体と被吸着シートとを販売することもできる。
なお、請求項１の位牌用転倒防止装置を仏壇、位牌の販売前に予め仏壇、位牌に組み込むことができることはいうまでもない。
【００１３】
［請求項２の考案］
請求項２の考案によれば、シート状永久磁石を仏壇内における該位牌を配設する面上に固着し、該シート状永久磁石により磁気吸着される被吸着体を備えた板状体を位牌の基台部下面に固着することにより、地震発生時の振動等の衝撃を受けたときでも位牌の転倒を防止することができる。
【００１４】
したがって、請求項２の考案によれば、既に販売され、使用されている仏壇、位牌についても、位牌が地震発生時の振動等の衝撃により転倒することを防止することができる。換言すれば、既に仏壇と位牌とを使用している者に対し、シート状永久磁石と板状体とを販売することもできる。
なお、請求項２の位牌用転倒防止装置を仏壇、位牌の販売前に予め仏壇、位牌に組み込むことができることはいうまでもない。
【図面の簡単な説明】
【００１５】
【図１】図１は、本考案の一実施例において、永久磁石を備えた板状体と、該永久磁石により磁気吸着される被吸着シートと、位牌と、仏壇内における該位牌を配設する面とを示す断面図である。
【図２】図２は、同上実施例において、板状体を位牌の基台部下面に固着し、被吸着シートを仏壇内における該位牌を配設する面上に固着した状態を示す断面図である。
【図３】図３は、同上実施例における板状体の一例を示す平面図である。
【図４】図４は、本考案の別の実施例において、シート状永久磁石と、該シート状永久磁石により磁気吸着される被吸着体を備えた板状体と、位牌と、仏壇内における該位牌を配設する面とを示す断面図である。
【図５】図５は、同上実施例において、シート状永久磁石を仏壇内における該位牌を配設する面上に固着し、該板状体を位牌の基台部下面に固着した状態を示す断面図である。
【図６】図６は、同上実施例における板状体の一例を示す平面図である。
【考案を実施するための形態】
【００１６】
まず、図１〜図３に示す事例について説明する。
【００１７】
この事例における位牌用転倒防止装置は、永久磁石１を備えた木製等の板状体３と該永久磁石１により磁気吸着される被吸着シート５よりなる。
【００１８】
永久磁石１は、一例として、ネオジウム磁石とする。永久磁石１は、板状体３に固着する。
【００１９】
被吸着シート５は、該永久磁石１により磁気吸着される強磁性材料により形成されたものであり、例えば、鉄、体心立方晶のステンレス鋼等により形成する。
【００２０】
該板状体３を位牌７の基台部９下面９ａに接着剤、ねじ等により固着し、該被吸着シート５を仏壇内における該位牌７を配設する面１１上に接着剤等により固着する。
【００２１】
次に、図４〜図６に示す事例について説明する。
【００２２】
この事例における位牌用転倒防止装置は、シート状永久磁石２１と該シート状永久磁石２１により磁気吸着される被吸着体２３を備えた木製等の板状体２５とよりなる。
【００２３】
シート状永久磁石２１は、例えばマグネットシートとする。
【００２４】
被吸着体２３は、好ましくは、該シート状永久磁石２１により磁気吸着される強磁性材料により形成するものであり、例えば、鉄、体心立方晶のステンレス鋼等により形成するが、被吸着体２３は永久磁石であっても差し支えない。被吸着体２３は、板状体２５に固着する。
【００２５】
該板状体２５を位牌７の基台部９下面９ａに接着剤、ねじ等により固着し、該シート状永久磁石２１を仏壇内における該位牌７を配設する面１１上に接着剤等により固着する。
【符号の説明】
【００２６】
１  永久磁石
３  板状体
５  被吸着シート
７  位牌
９  基台部
９ａ  下面
１１  面
２１  シート状永久磁石
２３  被吸着体
２５  板状体
【図１】
0003154669.tif 000003
【図２】
0003154669.tif 000004
【図３】
0003154669.tif 000005
【図４】
0003154669.tif 000006
【図５】
0003154669.tif 000007
【図６】
0003154669.tif 000008